(57)【要約】【課題】  ナイト店のような営業形態、あるいは、カラオケボックスのような営業形態、それぞれに応じた録音音声情報の管理を行う【解決手段】  ユーザの指定に基づいて、第１モードと第２モードとを切り換える設定処理と、第１モードに設定されている場合は、保存している全ての録音音声情報について、その関連情報に基づく選択画面を表示可能として、入力手段により指定された録音音声情報を再生手段に再生させ、第２モードに設定されている場合は、保存している録音音声情報のうち、ログインしているユーザのユーザＩＤを含んだ録音音声情報に限り、その関連情報に基づく選択画面を表示して、入力手段にて指定された録音音声情報を再生手段に再生させる再生処理を行う。【選択図】      図１０
2010060634.tif 000002
【特許請求の範囲】
【請求項１】
記憶手段と、再生手段と、指定手段と、制御手段とを備えるカラオケ装置であって、
記憶手段は、演奏情報を記憶すると共に、録音音声情報の保存を可能とし、
再生手段は、制御手段の制御に基づき、演奏情報による演奏音の再生、並びに、録音音声情報による録音音声の再生を可能とし、
指定手段は、ユーザに各種情報を表示する表示手段と、ユーザからの入力を受け付ける入力手段とを備え、
制御手段は、認証処理と、録音処理と、設定処理と、再生処理とを可能とし、
認証処理は、ユーザの入力に基づいて認証を行い、認証に成功したユーザをログインさせ、
録音処理は、第１−第３処理からなり、
第１処理は、入力手段にて指定された演奏情報を再生手段に再生させると共に、少なくともマイクロフォンから入力される歌唱音声信号を録音して録音音声を作成し、
第２処理は、作成した録音音声に関連情報を付与すると共に、ログインしているユーザにより指定された演奏情報である場合には関連情報にユーザＩＤを含めて録音音声情報を作成し、
第３処理は、作成した録音音声情報を記憶手段に保存し、
設定処理は、ユーザの指定に基づいて、第１モードと第２モードとを切り換え設定可能とし、
再生処理は、
第１モードに設定されている場合は、保存している全ての録音音声情報について、その関連情報に基づく選択画面を表示可能として、入力手段により指定された録音音声情報を再生手段に再生させ、
第２モードに設定されている場合は、保存している録音音声情報のうち、ログインしているユーザのユーザＩＤを含んだ録音音声情報に限り、その関連情報に基づく選択画面を表示して、入力手段にて指定された録音音声情報を再生手段に再生させる
カラオケ装置。
【請求項２】
ログインしていないゲストユーザにより指定された演奏情報に対する録音処理では、第１モードに設定されている場合は録音音声情報の保存を可能とし、第２モードに設定されている場合は録音音声情報の保存を不可とする
請求項１に記載のカラオケ装置。
【請求項３】
設定処理では、保存されているゲストユーザの録音音声情報に対し、入力手段から関連情報を付与可能とする
請求項２に記載のカラオケ装置。
【請求項４】
演奏情報は、メロディ情報を含んで構成され、
制御手段は、録音処理に併行して実行される採点処理を可能とし、
採点処理は、指定された演奏情報のメロディ情報とマイクロフォンから入力される歌唱音声信号との比較に基づいて得点を算出し、当該得点が所定条件を満たし、かつ、ユーザが公開に同意する場合は、第２モードにおける再生処理において、ログインしているユーザに限ることなく、当該録音音声情報の関連情報に基づく表示を可能とする
請求項１乃至請求項３のいずれか１つに記載のカラオケ装置。
【請求項５】
録音音声情報は、歌唱音声信号に加え演奏音をミキシングして録音された情報である
請求項１乃至請求項４のいずれか１つに記載のカラオケ装置。
【請求項６】
録音音声情報は、歌唱音声信号のみを録音した情報であって、
録音処理では、作成した録音音声情報に、当該録音処理で使用した演奏情報の楽曲ＩＤを付与し、
再生処理では、録音音声情報と、当該録音音声情報に付与されてる楽曲ＩＤに対応する演奏情報を再生手段に再生させる
請求項１乃至請求項４のいずれか１つに記載のカラオケ装置。
【発明の詳細な説明】
【技術分野】
【０００１】
本発明は、指定された楽曲を再生すると共に、録音した歌唱音声を再生するカラオケ装置に関するものである。
【背景技術】
【０００２】
従来、カラオケボックスや飲食店等において、演奏に合わせて歌唱を楽しむカラオケ装置では、自宅での練習、あるいは他人に聞かせることを目的として歌唱した楽曲を録音して持ち帰るサービスが提供されている。また、音声のみならず歌唱している様子をビデオカメラにより録画して持ち帰るサービスもみられる。
【０００３】
このような録音、録画サービスを提供するカラオケ装置には、例えば、特許文献１〜特許文献４にみられるようなものが知られている。特許文献１には、録音装置を接続して録音を行う際、曲毎に録音可否が書き込まれた録音可否テーブルを参照し、録音可能な場合には録音可能表示をして録音予約を受付け、録音不可なら録音不可を表示して録音予約を受け付けないカラオケ再生装置が記載されている。また、録音装置では、録音したコンパクトディスクに添付するためのラベルに、曲名、作詞者名などの録音曲情報を印刷することも記載されている。
【０００４】
また、特許文献２には、マイクロフォンからの歌唱音響信号が１曲分の楽曲演奏を通じて実質的に有ったか無かったかを、音声レベル検出手段の出力に基づいて判断し、歌唱音響信号があった場合は、可搬型記録媒体への書き込みを許可し、無かった場合には書き込みを禁止するカラオケ録音装置が記載されている。このカラオケ装置によれば、カラオケ伴奏音楽が不正に複製されることを防止することができ、そして、歌唱音声音声の有無にて録音料金を変更することができる。
【０００５】
また、特許文献３には、録音入力インタフェース１４が受信する音響信号を録音して一時記憶装置に楽曲単位の録音ファイルを作成し、保存する録音ファイルの数が規定数に達した際、利用者にダンプ指令の発行を促す旨を表示させ、ダンプ指令を受け付けた際、保存する録音ファイルをデータ書込装置３に転送して過般型記録媒体４に書き込ませることが記載されている。
【０００６】
また、特許文献４には、録音して作成した歌曲録音作品を作品管理サーバーにて管理する通信カラオケシステムにおいて、カラオケサーバーが歌曲録音作品を受信した際、作品管理サーバは作品番号をカラオケ装置に発行し、カラオケサーバーが作品番号を受信した際、歌曲録音作品をカラオケ装置に返信することが記載されている。
【特許文献１】特開平７−３６４７０号公報
【特許文献２】特許第３５１５０６９号公報
【特許文献３】特許第３５２２２１５号公報
【特許文献４】特開２００７−２５６８０３号公報
【発明の開示】
【発明が解決しようとする課題】
【０００７】
従来、カラオケにおける録音機能は、特許文献１から特許文献３にみられるようにコンパクトディスクなどの可搬記録媒体へ記録することがほとんどであった。記憶装置の大容量化やネットワーク回線の拡大により、特許文献４の通信カラオケシステムにみられるように歌唱録音した歌曲録音作品をカラオケサーバーで管理することも可能となっている。しかしながら、特許文献４の通信カラオケシステムでは、作品番号を用いて選曲しなくて
はならず、自分の歌曲録音作品を他人に聞いてもらうためには作品番号を教える必要があり、歌曲録音作品の選択については使い勝手がよいものではない。
【０００８】
本出願人は、録音により作成した録音音声情報を、カラオケ装置内部の記憶装置や、店舗内に設置された複数のカラオケ装置をネットワーク接続ストレージ（ＮＡＳ）にて管理するシステムを新たに開発した。このシステムでは、多数の録音音声情報を扱うことが可能となる反面、ユーザによる録音音声情報の選択は複雑となってしまう。一方、カラオケの営業形態には、スナックなど常連客が集うナイト店による営業形態と、カラオケボックスのように営業形態がある。
【０００９】
ナイト店のように店舗のオーナーやママさんなどの管理者がいる営業形態では、客は管理者のいる前で歌唱することとなり、管理者は常連客が歌唱した曲どの客がどんな曲を歌唱したかなど顧客に関する各種情を報管理することができる。一方、カラオケボックスのようにカラオケ装置を時間貸しする営業形態では、カラオケ装置は、ナイト店のような管理者は不在のもと利用されることとなる。本出願人が開発した録音音声情報を扱うシステムを実際に運用するにあたり、それぞれの営業形態に応じた録音音声情報を管理することが必要となる。
【課題を解決するための手段】
【００１０】
本発明は、上記課題に着目したものであって、ナイト店のような営業形態、あるいは、カラオケボックスのような営業形態、それぞれに応じた録音音声情報の管理を行うことができるカラオケ装置を提供するものである。
【００１１】
そのため、請求項１に係るカラオケ装置は、記憶手段と、再生手段と、指定手段と、制御手段とを備えるカラオケ装置であって、記憶手段は、演奏情報を記憶すると共に、録音音声情報の保存を可能とし、再生手段は、制御手段の制御に基づき、演奏情報による演奏音の再生、並びに、録音音声情報による録音音声の再生を可能とし、指定手段は、ユーザに各種情報を表示する表示手段と、ユーザからの入力を受け付ける入力手段とを備え、制御手段は、認証処理と、録音処理と、設定処理と、再生処理とを可能とし、認証処理は、ユーザの入力に基づいて認証を行い、認証に成功したユーザをログインさせ、録音処理は、第１−第３処理からなり、第１処理は、入力手段にて指定された演奏情報を再生手段に再生させると共に、少なくともマイクロフォンから入力される歌唱音声信号を録音して録音音声情報を作成し、第２処理は、作成した録音音声情報に関連情報を付与すると共に、ログインしているユーザにより指定された演奏情報である場合には関連情報にユーザＩＤを含め、第３処理は、関連情報が付与された録音音声情報を、記憶手段、もしくは、外部記憶手段に保存し、設定処理は、ユーザの指定に基づいて、第１モードと第２モードを切り換え設定可能とし、再生処理は、第１モードに設定されている場合は、保存している録音音声情報の関連情報に基づく表示を可能として、入力手段により指定された録音音声情報を演奏手段に再生させ、第２モードに設定されている場合は、保存している録音音声情報のうち、ログインしているユーザのユーザＩＤを含む関連情報に基づく表示を可能として、入力手段にて指定された録音音声情報を再生手段に再生させることを特徴とするものである。
【００１２】
さらに、請求項２に係るカラオケ装置は、請求項１に記載のカラオケ装置において、ログインしていないユーザにより指定された演奏情報に対する録音処理では、第１モードに設定されている場合は録音音声情報を保存可能とし、第２モードに設定されている場合は録音音声情報を保存不可とすることを特徴とするものである。
【００１３】
さらに、請求項３に係るカラオケ装置は、請求項２に記載のカラオケ装置において、設定処理では、保存されているログインしていないユーザの録音音声情報に対し、入力手段
から関連情報を付与可能とすることを特徴とするものである。
【００１４】
さらに、請求項４に係るカラオケ装置は、請求項１乃至請求項３のいずれか１つに記載のカラオケ装置において、演奏情報は、メロディ情報を含んで構成され、制御手段は、録音処理に併行して実行される採点処理を可能とし、採点処理は、指定された演奏情報のメロディ情報とマイクロフォンから入力される歌唱音声信号との比較に基づいて得点を算出し、当該得点が所定条件を満たし、かつ、ユーザが公開に同意する場合は、第２モードにおける再生処理において、ログインしているユーザに限ることなく、当該録音音声情報の関連情報に基づく表示を可能とすることを特徴とするものである。
【００１５】
さらに、請求項５に係るカラオケ装置は、請求項１乃至請求項４のいずれか１つに記載のカラオケ装置において、録音音声情報は、歌唱音声信号に加え演奏音をミキシングして録音された情報であることを特徴とするものである。
【００１６】
さらに、請求項６に係るカラオケ装置は、請求項１乃至請求項４のいずれか１つに記載のカラオケ装置において、録音音声情報は、歌唱音声信号のみを録音した情報であって、録音処理では、作成した録音音声情報に、当該録音処理で使用した演奏情報の楽曲ＩＤを付与し、再生処理では、録音音声情報と、当該録音音声情報に付与されてる楽曲ＩＤに対応する演奏情報を再生手段に再生させることを特徴とするものである。
【発明の効果】
【００１７】
本発明によれば、ナイト店のような営業形態、あるいは、カラオケボックスのような営業形態、それぞれに応じた録音音声情報の管理を行うことができるカラオケ装置を提供できる。
【発明を実施するための最良の形態】
【００１８】
以下、本発明の実施形態を図面を参照しながら説明を行う。図１は、本発明の実施形態に係るカラオケシステムの実施形態を示した図であって、１つの店舗に複数のコマンダが設置されたカラオケボックスとしての営業形態を示している。
【００１９】
図１において、５０は通信網、６０はルータ、７０は無線アクセスポイント、１００はホスト装置、２００はリモコン装置、３００はコマンダをそれぞれ示している。本実施形態において、各コマンダ３００はｒｏｏｍ１〜ｒｏｏｍ４毎に１台ずつ配置され、リモコン装置２００から指示された楽曲を演奏する。例えば、コマンダ１が設置されるｒｏｏｍ１では１台のリモコン装置１が配置され、コマンダ１はリモコン装置１からの楽曲指示を受け付ける。また、コマンダ４が設置されるｒｏｏｍ４では２台のリモコン装置４−１、４−２が配置され、コマンダ４は、リモコン装置４−１、４−２のどちらからも楽曲リクエストを受け付ける。なお、楽曲の指示は、リモコン装置２００のみならず、各コマンダ３００のフロントパネルに設けられた入力部からも可能となっている。
【００２０】
各コマンダ３００は、ＬＡＮを介してルータ６０と接続されており、ルータ６０はインターネット回線などの通信網５０を介してホスト装置１００に通信接続される。このような通信接続により、各コマンダ３００は、ホスト装置１００から楽曲情報や、プログラムなどの各種配信を受けることができると共に、ホスト装置１００では各コマンダ３００の利用履歴管理や各利用者の会員サービス管理を行うことが可能となっている。
【００２１】
ＬＡＮ上には、無線アクセスポイント７０が接続されており、各リモコン装置２００と無線通信可能に設定されている。このように設定することで、各リモコン装置２００は予め対応付けられたコマンダ３００と通信可能となる。また、各リモコン装置２００は、コマンダ３００のみならず、通信網５０を介してホスト装置１００との通信も可能となる。
ホスト装置１００は、ユーザがログインしているリモコン装置２００に対して会員サービスを提供することができる。
【００２２】
会員サービスは、各会員の個人設定情報をホスト装置１００で管理することで、利用者がどのリモコン装置２００からログインしても、各利用者に対して各種サービスを提供することができるサービスである。この各種サービスとしては、例えば、個人設定情報にユーザの予約履歴を記録しておくことで、再来店した場合に自分の予約履歴を参照可能としたり、ユーザが気に入った歌手を個人設定情報に登録しておくことでその歌手の持ち歌を参照可能としたり、登録しておいた十八番を参照可能としたり、採点履歴に基づいて他の利用者と得点を競ったりすることなどが考えられる。
【００２３】
本実施形態では、ＬＡＮを介して接続された複数のコマンダ３００による、いわゆるカラオケボックスとしての営業形態を説明したが、スナックなどのナイト店では、１台のコマンダ３００に対して、１台乃至複数台のリモコン装置２００が設置される構成が採用される営業形態となる。
【００２４】
次に、カラオケ装置の一構成となるコマンダ３００についてより詳しく説明する。図２は本発明の実施の形態に係るコマンダ３００及びその周辺のブロック構成を示す図である。３０１は制御部、３０２は通信部、３０３はフロントパネル表示部、３０４は表示制御部、３０５は記憶部、３０６は入力部、３０７は音源部、３０８はミキシング部、３０９はＡＤ変換部、４０１はアンプ、４０２はスピーカー、４０３はマイクロフォン、４０４はディスプレイをそれぞれ示している。
【００２５】
コマンダ３００には、ＣＲＴやＴＦＴ等の映像表示装置としてのディスプレイ４０４、音声増幅装置としてのアンプ４０１、音声入力手段としてのマイクロフォン４０３が接続されている。コマンダ３００におけるカラオケ楽曲の演奏信号は、アンプ４０１へ送出されスピーカー４０２から演奏音が得られる。一方、楽曲の再生に同期した歌詞映像は、背景映像と重畳され、出力映像信号としてディスプレイ４０４に出力される。ユーザは、演奏音と歌詞映像に合わせてマイクロフォン４０３を用いて歌唱を行う。
【００２６】
制御部３０１は、ＣＰＵ、ＲＡＭなどの一時記憶部を含んで構成され、コマンダ３００におけるシステム全体の制御を司る。ハードディスクなどの記憶部３０５には、演奏情報と歌詞情報で構成された楽曲情報、映像情報、各種プログラムなどが記憶されている。通信部３０２は、周知規格の有線ＬＡＮなどが用いられ、リモコン装置２００との間で各種制御命令の送受信を可能としている。また、ホスト装置１００との間で楽曲情報や個人設定情報など各種情報の送受信を可能としている。
【００２７】
入力部３０６は、フロントパネルなどに設けられた各種スイッチ群であり、予約選曲、音程コントロールなど各種機能を手動設定可能としている。表示制御部３０４は、制御部３０１と連携し、記憶部３０５に記憶されている楽曲情報中の歌詞情報に基づいて歌詞映像を作成する。そして、映像情報に基づいて背景映像を作成し、背景映像に歌詞映像を重畳した出力映像信号をディスプレイ４０４に出力する表示制御を行う。その他、表示制御部３０４は、各種コンテンツ、広告情報などをディスプレイ４０４にて表示するための表示制御を行う。
【００２８】
音源部３０７は、ＭＩＤＩ、ＰＣＭ、ＭＰＥＧなど各種規格に基づいた演奏情報に基づいて楽音信号を形成する再生手段として機能する。この音源部３０７では単一規格で構成された演奏情報のみならず、異なる複数規格で構成された演奏情報を扱うことも可能である。例えば、ＭＩＤＩにて伴奏を再生すると同時に、ＰＣＭ、あるいは、ＭＰＥＧにて模範歌唱、バックコーラス、あるいは、録音音声情報を再生することができる。ミキシング
部３０８は、音源部３０７で形成した楽音信号と、マイクロフォン４０３から入力される歌唱者の歌唱音声信号を適宜なバランスで混合する。
【００２９】
混合された信号はアンプ４０１に出力されてスピーカー４０２から放音出力される。
【００３０】
また、歌唱を録音するため、歌唱音声信号はＡＤ変換部３０９にも入力される。デジタル信号に変換された歌唱音声信号は、制御部３０１によるエンコード処理で録音音声に音声圧縮されて記憶部３０５に格納される。歌唱音声信号のみを録音する場合には、音源部３０７での再生時、録音時に使用した演奏情報と同期を取って再生することで歌唱を再現できる。また、歌唱音声信号と演奏音をミキシングした上で録音音声を作成するのであれば、録音音声のみを再生することで歌唱を再現することができる。
【００３１】
以上、コマンダ３００の主要構成について説明したが、ＩＲ信号を送受信可能とする通信部をさらに設け、ＩＲ信号を利用する従来のリモコン装置からの制御命令に対応できる構成を採用してもよい。
【００３２】
次に、本発明の指定手段としての一実施形態であるリモコン装置２００について説明する。図３は、リモコン装置２００の外観（正面図）を示したものであり、筐体中央にはタッチパネル２０７が配置され、ユーザに対して各種表示を行うと共に、スタイラス４０５あるいは指を接触させることによるユーザ入力を受け付ける。本実施形態では、このタッチパネル２０７のみを利用したものとなっているが、この実施形態に限るものではなく、例えば、表示部と各種キーにてユーザ入力を受け付ける形態などが採用できる。
【００３３】
タッチパネル２０７の右上には認証手段としての指紋読取部２０３が設けられる。この指紋読取部２０３上にユーザが指をスライドさせることで指紋が読み取られる。読み取られた指紋は適宜アルゴリズムで特徴が抽出され指紋情報に変換される。認証手段はこの形態に限るものではなく、各種生体認証や、ＩＤとパスワードによる各種のものが採用可能である。
【００３４】
図４は、リモコン装置のブロック構成を示した図であって、２０１はリモコン制御部、２０２はリモコン通信部、２０３は指紋読取部、２０４はリモコン記憶部、２０５はリモコン表示部、２０６はタッチ式センサを示している。タッチ式センサ２０６は透明であってリモコン表示部２０５の表面に配置され、両者にてタッチパネル２０７を構成する。
【００３５】
リモコン制御部２０１はリモコン装置２００全体の制御を司る。リモコン記憶部２０４には、ＲＡＭなど各種メモリやハードディスクが用いられ、楽曲選択のための楽曲リストやサービス処理を行う際に必要となる個人設定情報などが格納される。
【００３６】
タッチ式センサ２０６は、利用者の指やスタイラスなどの接触による入力操作を可能としている。タッチ式センサ２０６による入力を可能とするため、リモコン表示部２０５は、タッチ式センサ２０６に対する制御と連動した表示画像が表示されるようにプログラム制御される。なお、入力手段としては、タッチ式センサ２０６に限定されるものではなく、例えば、キーボード、カーソルキーなどの機械的な入力手段を採用してもよい。
【００３７】
リモコン通信部２０２は、無線アクセスポイント７０との間で、例えば、無線ＬＡＮ規格（IEEE802.11a/b/gなど）による無線通信を行う。このリモコン通信部２０２にて、リ
モコン装置２００は、コマンダ３００やホスト装置１００との通信を行う。なお、このリモコン通信部２０２は、例えば、Bluetooth規格（登録商標）により実現することもでき
る。その場合、受け手側のコマンダ３００側に設けられた同規格の通信部により、リモコン装置２００とコマンダ３００は無線通信を行う。更に、リモコン装置２００はコマンダ
３００を経由してホスト装置１００との通信を行うこととなる。
【００３８】
リモコン装置２００からコマンダ３００に対する楽曲指定などの各種コマンドは、この通信部２０２を介して送信される。すなわち、リモコン装置２００は、ＬＡＮ上に配置された無線アクセスポイント７０と無線通信を行うこととなるが、コマンダ３００とリモコン装置２００が予め対応付けられているため、コマンダ３００は自分に対する各種コマンドを判別することができる。
【００３９】
指紋読取部２０３は、ユーザがその表面を指で押圧、もしくは、スライドさせることで指紋を読み取る機能を備えている。読み取られた指紋はホスト装置１００との間で認証処理が行われ、認証に成功したユーザはログインユーザとして各種サービスの提供を受けることが可能となる。なお、ユーザによってはログインのための認証方法として、指紋認証を好まない場合がある。そこで、本実施形態におけるカラオケシステムでは、この指紋読取部２０３を利用した認証と、タッチパネル２０７からのユーザＩＤと、パスワードを入力することによる認証を選択できるようになっている。
【００４０】
以上、本カラオケ装置におけるハードウェア構成を説明したが、次に、これらハードウェア構成を利用した録音機能について図面を参照しつつ説明を行う。まず、録音予約する際の楽曲予約処理について図５〜図９を用いて説明を行う。
【００４１】
図５は楽曲予約処理のフロー図を示したものであり、予約する際、録音指定を行うことができることを特徴としている。図６は楽曲リストを示した図である。図７は選曲画面を示した図である。図８は楽曲詳細画面を示した図を示している。
【００４２】
では、図５の楽曲予約処理のフロー図を中心に楽曲予約処理について説明する。リモコン装置２００において楽曲予約処理が開始されると（Ｓ１００）、ユーザ指示による各種モードに応じた選曲画面が表示される（Ｓ１０１）。この選曲画面はリモコン記憶部２０４に記憶される楽曲リストに基づいて作成される。本実施形態において、この選曲リストは図６に示すように、各楽曲毎に楽曲ＩＤ、楽曲名、歌手名、唄い出し、録音可否情報、原曲キーを含んで構成される。録音可否情報は、著作権などの関係により録音できない楽曲を示した情報である。原曲キーは、オリジナルの楽曲と異なる音程に設定されることが多いカラオケにおいて、オリジナルの楽曲で歌唱したい歌唱者を考慮したものであって、カラオケの演奏情報とオリジナルの楽曲との差分音程を記述した情報である。
【００４３】
この楽曲リストに基づいて作成された選曲画面の一実施形態を図７に示す。５０１は検索ワード入力欄、５０２は検索スイッチ、５０３は検索モードスイッチ、５０４は楽曲表示欄、５０５は移動スイッチ、５０６は前画面スイッチを示している。
【００４４】
ユーザは、図示しないソフトキーボードなどで、検索ワード入力欄５０１に検索ワードを入力した後、検索スイッチ５０２を選択することで楽曲を検索することができる。検索モードスイッチ５０３は、楽曲名順と歌手名順の２つのスイッチで構成され排他的に選択可能となっている。楽曲名順のスイッチを選択すると、検索モードスイッチ５０３の下に表示されているあいうえお順のタブは楽曲名に対応し、歌手名順を選択すれば歌手名に対応したものとなる。ユーザはあいうえお順のタブを選択すると共に、移動スイッチ５０５でページを切り換えることで楽曲表示欄５０４を参照し楽曲を検索する。
【００４５】
図７の選曲画面で所望の楽曲表示欄５０４を選択すると、図８の楽曲詳細画面にて、選選択した楽曲の詳細情報が楽曲リストに基づいて表示される。ユーザはこの画面で楽曲を確認し、音程、録音の指定を行って演奏予約を行うこととなる。この楽曲詳細画面には、歌手名、楽曲名、唄い出しなど楽曲に関する各種情報が表示される。一方、認証手段でロ
グインし、ホスト装置１００から個人設定情報を読み出したログインユーザに対しては、「マイアーティスト追加」、「マイソング追加」のスイッチの利用が可能となる。これらスイッチを選択することで当該歌手、あるいは、当該楽曲を個人設定情報に登録することができる。ユーザは自分の個人設定情報に登録した楽曲、あるいは、歌手に基づいて検索可能となる。
【００４６】
音程指定スイッチ欄５０７には、音程を設定予約するための各種スイッチが表示される。♯スイッチ、♭スイッチを選択することで音程を上下することができる。音程上下の様子は、♯スイッチ、♭スイッチの間に位置するインジケータに表示される。このインジケータには原曲の音程を示す位置も表示されており、ユーザが音程を指定する目安となる。また、スイッチ欄５０７内の右側には、原曲キー予約スイッチが表示されており、これを選択することで♯、♭スイッチを選択することなく原曲の音程を指定することができる。本実施形態では音程指定のみとしたが、この他、演奏情報再生の速度（テンポ）、マイクロフォン４０３の歌唱音声信号に付与するエコーなどの各種音響効果、演奏音に付与する各種音響効果を指定できるようにしてもよい。
【００４７】
録音指定スイッチ欄５０８には、録音するかしないかを指定する２つのスイッチが表示される。ユーザは、このスイッチで当該楽曲の録音指定を行う。本実施形態では録音詳細画面に常時、この録音指定スイッチ欄５０８を表示するようにしているが、楽曲リストに含まれる録音可否情報を参照し、録音できない楽曲に対してはこの録音指定スイッチ欄を表示しない構成としてもよい。
【００４８】
楽曲詳細画面にて歌唱する楽曲を決定したユーザは、予約スイッチ５０９を選択し楽曲の予約を行う。予約スイッチ５０９が選択されると（Ｓ１０４）、Ｓ１０５では録音指定スイッチ欄５０８での録音指定がされているか否かを判断し（Ｓ１０５）、録音指定がある場合には、楽曲リストの録音可非情報を参照して当該楽曲が録音可能であるか否かを判断し、録音可能な楽曲であれば予約コマンドに録音フラグに“１”を設定する。一方、録音できない楽曲であれば、録音できない楽曲であることを表示する（Ｓ１０８）。
【００４９】
Ｓ１０９では音程指定スイッチ欄５０７での音程指定があるか否かを判断し、音程指定があれば予約コマンドに設定音程を含める。本実施形態では録音指定のみとしたが、演奏情報再生の速度や各種音響効果などが指定されている場合にはこれらの指定についても予約コマンドに含めることになる。
【００５０】
Ｓ１１１では指定された楽曲の楽曲ＩＤを予約コマンドに含めてコマンダ３００に送信し楽曲予約処理を終了する（Ｓ１１２）。なお、ログインユーザによる予約の場合には、予約コマンドにユーザＩＤを含めてユーザ別の管理ができるようにしてもよい。
【００５１】
楽曲予約処理で作成された予約コマンドを受信したコマンダ３００は、予約リストのエントリーに予約コマンドを追加して演奏情報を再生管理する。図９は予約リストを示した図であり、各予約番号に、予約日時、楽曲ＩＤ、録音フラグ、設定音程、ユーザＩＤが対応付けられたエントリーが掲載されている。コマンダ３００はこの予約リスト上で再生ポインタを順次進め、楽曲ＩＤに対応する演奏情報の再生を行う。
【００５２】
では、次に本発明の実施形態に係る設定処理について図１０を用いて説明する。本発明の実施形態では、ナイト店向きの第１モードと、カラオケボックス向きの第２モードに設定変更することが可能である。図１０はカラオケ装置の管理者が各種設定を行うことができる機能設定画面（いわゆるオーナーモード画面）を示した図であって、管理者はパスワードや入力手段を所定操作することで、この機能設定画面をタッチパネル２０７上に表示して各種設定を行うことができる。この画面では、機能選択スイッチ群５１１を選択する
ことで設定項目を選択することが可能であり、図では録音設定の項目が選択された状態を示している。この録音設定項目にて管理者は、ナイト店向きの第１モード、あるいは、カラオケボックス向きの第２モード、いずれかを店舗の営業形態にあったいずれかのモードを選択できる。
【００５３】
では、次に予約リストに基づいて実行されるコマンダ３００での再生処理について図１１を用いて説明する。電源投入により立ち上がったコマンダ３００は再生処理を開始する（Ｓ２０１）。予約リストを参照し（Ｓ２０２）、まだ再生されていない待ち楽曲の有無を監視する（Ｓ２０３）。待ち楽曲があれば、Ｓ２０４にて当該待ち楽曲が演奏情報を指定する楽曲ＩＤであるのか、録音音声情報を指定する録音ＩＤであるのかを判断する。録音音声情報、録音ＩＤについては後ほど説明することとなるが、本実施形態によれば、予約リストで楽曲ＩＤのみならず、録音ＩＤを管理することで、録音音声情報についても予約再生を行うことができる。
【００５４】
楽曲ＩＤであった場合にはＳ２０５〜Ｓ２０９の処理を行った後、再生ポインタを１つ進め（Ｓ２１２）、予約リストの待ち楽曲の監視に戻る。一方、録音ＩＤであった場合にはＳ２１０、Ｓ２１１にて録音音声情報を再生した後、同様に予約リストの待ち楽曲の監視に戻る。ここでは、まず、Ｓ２０５〜Ｓ２０９の処理について説明を行う。Ｓ２０５では予約リストにて設定音程が設定されているか否かを判定する。設定されている場合には、これから再生する演奏情報を設定音程にて再生するよう音程変更を行う（Ｓ２０６）。Ｓ２０７では予約リストにて録音フラグの有無を確認し、録音フラグが“０”である場合には、演奏情報の再生を開始し（Ｓ２０８）、再生が終了すると（Ｓ２０９）再生ポインタを１つ進めて予約リストの待ち楽曲の監視へと戻る。
【００５５】
一方、録音フラグが“１”である場合にはＳ３００の録音処理に進む。図１２はこの録音処理のフローを示した図である。録音処理が開始される（Ｓ３０１）と、Ｓ３０２ではＳ２０８と同様、演奏情報の再生を開始する。また、再生開始と同時にマイクロフォン４０３から入力される歌唱音声信号の録音を開始する。本実施形態はマイクロフォン４０３からの歌唱音声信号のみを録音する形態であって、歌唱音声信号は、ＡＤ変換部３０９にてデジタル信号に変換されＭＰＥＧ規格などの歌唱音声に変換されて記憶部３０５に記憶される。このような形態では録音された歌唱音声と、演奏情報を同期して再生することで歌唱を再現できる。また、演奏情報の再生と同時に歌唱音声信号の録音を開始するため、歌唱再現の場合には、演奏情報と録音音声を同時に再生開始するだけで簡単に同期を取ることができる。
【００５６】
演奏情報の再生中、Ｓ３０３ではリモコン２００などの入力手段から、ユーザによる音程の変更変更指定について監視を行う。音程変更指定があればＳ３０４にて音源部３０７に演奏情報の音程を変更して再生させる。また、この音程変更指定は、再生時間や、ＭＩＤＩクロックなど、演奏情報の再生経過を示す情報と一緒に録音時変更情報として、制御部３０１の一時記憶部に格納される（Ｓ３０５）。この音程変更のみならず、楽曲再生途中における演奏情報再生の速度（テンポ）、マイクロフォン４０３の歌唱音声信号に付与するエコーなどの各種音響効果、演奏音に付与する各種音響効果の変更についてもこの録音時変更情報として格納してもよい。本実施形態ではこの録音時変更情報は、録音音声の再生時に用いられることとなる。
【００５７】
演奏情報の再生が終了する（Ｓ３０６）と、歌唱音声の録音も同時に終了する（Ｓ３０７）。Ｓ３０８では、ディスプレイ４０４もしくはタッチパネル２０７上に録音した録音音声を試聴を促すメッセージを表示し、ユーザが試聴を希望する場合には録音音声の再生を行う（Ｓ３０９）。この録音音声の試聴では、録音音声を再生すると共に、録音の際、使用した演奏情報を同期して再生する。また、予約リストに記載した設定音程や、再生中
に格納した録音時変更情報を参照し、演奏情報を再生する際の音程変更を行う。このような試聴によりユーザは録音した歌唱を再現して確認することができる。
【００５８】
ユーザの試聴終了指示が発せられると、Ｓ３１１では、図１０にて設定したモードが第１モードか、第２モードかを判断する。第２モードに設定されている場合には、歌唱したユーザがログインユーザか否か予約リストを参照して判断する（Ｓ３１２）。ログインユーザでないゲストユーザの場合にはＳ３１６にて録音音声を破棄して録音処理を終了する。一方、ログインユーザの場合にはＳ３１３〜Ｓ３１５の処理へと移行する。このように第２モードに設定されている場合は、ゲストユーザに対する録音音声の保存を禁止することとなり、録音音声を管理することが困難なカラオケボックスの営業形態に好適である。一方、第１モードに設定されている場合にはＳ３１２にてログインユーザでない場合において、Ｓ３１６で録音音声を破棄することなく次のＳ３１３〜Ｓ３１５に進む。このように第１モードに設定されている場合には、ゲストユーザであっても録音音声の保存を行うことが可能となり、オーナーなどの管理者が録音音声を管理することができるナイト店の営業形態に好適である。
【００５９】
Ｓ３１３では、ディスプレイ４０４またはタッチパネル２０７にて録音音声を保存するか否かをユーザに問う。ユーザが保存しないことを選択した場合には、Ｓ３１５にて録音音声を破棄して録音処理を終了する。一方、保存することを選択した場合には、録音音声に基づいて録音音声情報を作成（Ｓ３１４）した後、記憶部３０５に保存し（Ｓ３１５）、録音処理を終了する（Ｓ３１７）。
【００６０】
図１３は、録音音声に基づいて作成された録音音声情報を模式的に示した図であり、録音音声に、録音ＩＤと関連情報を付与して作成される。この関連情報は、録音日時、録音時設定情報、録音時変更情報、楽曲関連情報、ユーザ関連情報、採点関連情報、コメントなどを含んで構成される。録音ＩＤは録音音声情報を識別するための識別子であり、例えば録音を行う毎にカウントアップされるシリアル番号で構成される。また、録音音声情報を複数のカラオケ装置にて利用することを考えて、例えばコマンダのＩＤにシリアル番号を付与するなどコマンダ間で重複しない構成としてもよい。通信網や可搬記録媒体などを介して録音音声情報を配信する場合においても録音音声情報を識別可能となる。
【００６１】
録音日時は録音を行った日時（日付のみでもよい）を示す関連情報であり、ユーザは録音日時を参照して録音音声情報を検索することができる。録音時設定情報は、予約する際、設定された音程であり、予約リスト内の設定音程が使用される。本実施形態では、予約時に音程のみ設定可能な構成としたが、演奏情報再生の速度（テンポ）、マイクロフォン４０３の歌唱音声信号に付与するエコーなどの各種音響効果、演奏音に付与する各種音響効果を指定する場合には、これらについても録音時設定情報に含めればよい。録音時変更情報は、録音の際、図１２のＳ３０５にて一時記憶部に格納した情報であり、本実施形態では音程変更指定と再生経過情報の組で構成される。この録音時変更情報についても、録音時設定情報と同様、音程のみならず各種の変更について採用することができる。
【００６２】
楽曲関連情報は、楽曲リストに基づいて付与される情報であり、楽曲ＩＤ、歌手名、楽曲名などを含んで構成される。本実施形態において録音音声を再生する場合、この楽曲関連情報に含まれる楽曲ＩＤを参照して対応する演奏情報が読み出される。ユーザ関連情報は、ユーザがログインに成功したときにホスト装置１００から取得する個人設定情報に基づいて付与される。図１４はこの個人設定情報の一部を示したものであるが、ユーザＩＤ、ニックネーム、性別、生年月日、ユーザを撮影した画像情報などを含んで構成される。画像情報はユーザの分身を示すキャラクターであるアバターを特定するための情報としてもよい。なお、個人設定情報を利用してユーザ関連情報を付与する場合、ゲストユーザについてはこのユーザ関連情報を付与することができないが、予約時、録音時、あるいは、
録音音声情報作成後などの適宜タイミングで、ユーザ入力に基づいて付与できるようにしてもよい。
【００６３】
採点関連情報は、録音時に採点処理が行われた際に記録される情報であり、採点に関する情報、採点モードや、得点などを含んで構成される。採点処理はカラオケにおいて行われる採点ゲームなどで行われる広く一般的に知られた処理であり、演奏情報の再生中、演奏情報に含まれるメロディ情報と歌唱音声信号の比較に基づいて得点を算出する処理である。ここでは、この算出された得点を関連情報に含めることとするが、採点結果の見せ方、又は、採点アルゴリズムの異なる複数種類の採点ゲームを行うことができる場合には、使用した採点ゲームの種別を示す採点モードを一緒に記録してもよい。なお、この採点処理はユーザが採点ゲームを行った場合に限らず、録音処理を行った際、必ず実行するようにして採点関連情報を付与するようにしてもよい。
【００６４】
コメントは、入力手段からのユーザの入力によって付与され、予約時、録音時、あるいは、録音音声情報作成後など適宜タイミングで付与される。ユーザは自分の歌唱をアピールするメッセージなどをコメントとして付与できる。
【００６５】
以上、Ｓ３１４にて作成する録音音声情報について説明したが、録音音声に録音ＩＤと関連情報を付与することで、ユーザは関連情報に基づく選曲画面を参照しながら録音音声を選択することができる。では、この関連情報を参照した録音音声の選曲、再生について図１５〜図１９を用いて説明を行う。図１５は録音リストを示した図であり、図１６は録音音声選択画面を示した図であり、図１７はユーザ別録音音声選択画面を示した図であり、図１８は録音音声の予約を含んだ予約リストを示した図であり、図１９は録音音声の再生中、ディスプレイ４０４に表示される録音音声再生画面の様子を示した図である。
【００６６】
図１４に示す録音リストは、コマンダ３００内に記憶している録音音声情報の関連情報に基づいて作成されるリストであって、リモコン装置２００は、コマンダ３００から受信した録音リストに基づいて録音音声選択画面を表示してユーザに選択させる。本実施形態において、この録音リストは、録音ＩＤに対応付けられた、楽曲ＩＤ、ユーザＩＤ、得点、録音日時、画像情報などの関連情報で構成される。関連情報はこの実施形態に限らず、図１３にて説明したものの中から適宜なものを採用することができる。
【００６７】
また、録音音声情報はコマンダ３００内の記憶部３０５内のものに限ることはない。図１に示すように店舗内に複数台のコマンダ３００がＬＡＮで接続されるカラオケボックスのような営業形態では、ＬＡＮ上に設けたネットワーク接続ストレージ（ＮＡＳ）にて録音音声情報を記憶管理するようにしてもよい。この場合、ＮＡＳ上に記憶する録音音声情報に基づいて録音リストを作成し各リモコン装置２００に送信する。リモコン装置２００ではこの録音リストに基づいて選曲し、ＮＡＳ上の録音音声情報をコマンダ３００に再生させる。このように構成することで、ユーザは店舗内のどのコマンダ３００からも録音音声情報を再生できる。
【００６８】
図１６は、録音リストに基づく録音音声選択画面の一実施形態であって、ナイト店向けの第１設定に設定されている場合に表示可能な録音音声選択画面であって、第２設定に設定されている場合には利用することはできない。この録音音声選択画面はリモコン２００のタッチパネル２０７に表示され、ユーザはこの画面にて録音音声情報を選択できる。録音音声リスト欄Ａ５１４には、録音リストに基づいて各種情報が表示される。本実施形態では録音リスト中に楽曲名、歌手名は含まれていないが、これらについては楽曲リストを参照して表示している。各項目の右側には並べ替えスイッチ５１６が設けられており、その項目に関して昇順、あるいは、降順に並べ替えることができる。図では録音日時の並べ替えスイッチ５１６が選択された状態を示している。また、スクロールバー５１５を操作
することで、録音音声リスト欄Ａ５１４全体をスクロール表示させ、記憶部３０５内に記憶する所望の録音音声を検索することができる。所望の録音音声を見つけたユーザは、録音音声を選択して関連情報を反転表示させ、予約スイッチ５１７を選択して録音音声を指定する。指定された録音音声の録音ＩＤは予約コマンドとしてコマンダ３００に送信される。このように第１モードに設定されている場合には、ユーザは全ての録音音声を参照して予約することができる。
【００６９】
図１７は、別形態の録音音声選択画面であって、ログインしているユーザが選択できる録音音声選択画面の一実施形態である。この録音音声選択画面は第１モード、第２モードのどちらに設定されている場合においても利用できる。録音音声リスト欄Ｂ５１９にはログインしているユーザが録音した、すなわち、録音音声情報にログインしているユーザのユーザＩＤが付与された録音音声情報に関する各種情報が表示される。ユーザはこの録音音声リスト欄Ｂ５１９を参照して自分の録音音声情報の予約をすることができる。また、ユーザは予約のみならず録音音声情報の削除を行うこともできる。録音音声を選択した状態で削除スイッチ５２３を操作すると対応する録音音声情報が削除される。このように図１７の録音音声選択画面では、ユーザは自分の録音音声情報に対して予約、管理を行うことができる。
【００７０】
以上の録音音声選択画面で発せられた録音音声の予約コマンドを受信したコマンダ３００は、受信した予約コマンドを予約リストのエントリーに追加して演奏情報に対する予約と一緒に管理する。図１８は録音音声の予約コマンドが追加された予約リストを示している。“＆＆＆＆”は、録音ＩＤを示しており予約番号５３、５５、５６には録音音声が予約されていることを示している。この予約リスト上で再生ポインタを順次進め、録音音声情報を再生していく。具体的には図１１に示した再生処理のＳ２０４にて待ち楽曲が録音音声であればＳ２１０にて録音音声情報の再生を行う。なお、録音音声については更なる録音や、音程設定を行う必要がないため、予約リスト上での録音フラグ、録音音程の項目については空欄となる。
【００７１】
本実施形態において、録音音声情報は録音の際に使用された演奏情報と同期を取って再生される。具体的には、再生する録音音声情報の関連情報に含まれる楽曲ＩＤに基づいて演奏情報を読み出し、録音音声情報と同時に再生を開始する。また、録音音声情報に録音時設定情報があれば、この録音時設定情報に基づいて演奏情報の音程などを変更して再生を開始する。また、関連情報に録音時変更情報が含まれる場合には、録音時変更情報中の再生経過情報のタイミングにて、音程などを設定変更して再生する。このように再生することで録音時の歌唱を再現することができる。本実施形態では、録音音声を歌唱音声信号のみで構成することとしたが、録音音声は演奏情報による演奏音と歌唱音声信号をミキシングして録音することとしてもよい。この場合、ステレオ音声による録音となるため録音音声情報の情報量は大きくなってしまうが、同期を取って再生する必要もなく、録音時設定情報や録音時変更情報も不要となる。
【００７２】
図１９は録音音声情報の再生時においてディスプレイ４０４上に表示される録音音声再生画面を示した図であって、画面中には、歌詞５２５が表示されると共に、録音音声情報中の関連情報に基づいて、ユーザの写真やアバターなどによるユーザ関連画像５２６、ニックネーム、録音日時、得点などの録音音声説明５２７、５２８が表示される。録音音声情報再生中には、その場に歌唱者がいない場合も考慮してこのような表示を行うことが好ましい。
【００７３】
以上、関連情報を参照した録音音声の選曲、再生について説明を行ったが、この録音音声の選曲に関し、図２０を用いて他の実施形態の説明を行う。図２０は採点処理にて得点が上位２０位以内にランキングされた録音音声情報を選曲予約することができる録音音声
選択画面である。ユーザは録音音声表示欄５２９を選択した上で予約スイッチ５３０を選択することで、録音音声情報を選曲予約することができる。
【００７４】
第２モードに設定されている場合、ユーザはログインすることで自分の録音音声情報のみ選択することができることとしたが、この録音音声選択画面では、例外的に他者の録音音声情報についても選択できることとしている。図１２の録音処理においてＳ３０７での録音終了後、採点処理で算出した得点がコマンダ３００内において所定順位内にランクインしている場合には、ユーザに対して公開の同意を求め、同意が得られた場合、当該録音音声情報を保存し、この録音音声選択画面から選曲できるようにする。なお、公開の条件は所定順位内のランキングに限らず、所定得点以上など適宜条件を採用できる。また、ユーザに対する同意も録音後に限らず、選曲予約時としたり、ログインユーザの場合においては、個人設定情報に公開、非公開の旨を予め登録しておくようにしたもよい。このように採点処理を行う場合、得点が所定条件を満たし、かつ、ユーザが公開に同意する場合には、第２モードに設定されている場合であっても、この録音音声選択画面にて歌唱音声に関する情報をユーザに閲覧させ選曲予約できるようにしてもよい。
【００７５】
次に、管理者による録音音声情報の管理について図２１を用いて説明する。図２１は図１０で説明した機能設定画面であって、機能設定スイッチ群５１１にて録音データ管理が選択された状態を示している。タッチパネル２０７の中央には録音音声リスト欄Ｃ５３２が表示されており、この録音音声リスト欄Ｃでは、コマンダ３００の記憶部３０５に記憶する全録音音声情報が閲覧できる。この録音音声リスト欄Ｃ５３２を参照しながら、管理者は録音音声情報の管理できる。具体的には録音音声情報の削除、試聴、関連情報の編集を行うことができる。
【００７６】
録音音声情報の削除は、録音制御スイッチ群５３５の削除スイッチを選択することで実行される。管理者はこの削除スイッチを選択して不要な録音音声を削除することができる。また、録音制御スイッチ群５３５内の編集スイッチは、録音音声情報に付与されているニックネームなどを編集することができるスイッチであり、録音音声リスト欄Ｃ内で録音音声を選択した状態でこの編集スイッチを選択すると、ソフトキーボードなどでニックネームを編集することができる。この編集機能は特に第１モードにおいてゲストユーザとして歌唱録音を行ったときに有効であり、ニックネームが付与されていない録音音声情報にニックネームを付与し、録音音声選曲画面での選曲を容易にする。
【００７７】
さらに、録音制御スイッチ群５３５には試聴スイッチが設けられ、削除、編集を行う際、録音音声情報の内容を確認することができる。管理者はこの試聴スイッチを選択してコマンダ３００に確認したい録音音声情報を再生させてその内容を確認する。本実施形態では録音音声情報はコマンダ３００側でのみ再生できることとしているが、リモコン２００側にも再生手段、スピーカーなどを設け、コマンダ３００から録音音声情報を転送してもらうことで試聴確認できるように構成してもよい。以上、機能設定画面における録音音声情報の管理について説明を行ったが、この管理によれば、管理者がユーザの録音音声情報を管理することが可能となり、特に、ナイト店で利用する第１モードにおいて有効である。
【図面の簡単な説明】
【００７８】
【図１】本発明の実施形態に係るカラオケシステムを示した図。
【図２】本発明の実施形態に係るコマンダを示した図。
【図３】本発明の実施形態に係るリモコン装置の外観を示した図。
【図４】本発明の実施形態に係るリモコン装置の内部構成を示した図。
【図５】本発明の実施形態に係る楽曲予約処理を示したフロー図。
【図６】本発明の実施形態に係る楽曲リストを示した図。
【図７】本発明の実施形態に係る選曲画面を示した図。
【図８】本発明の実施形態に係る楽曲詳細画面を示した図。
【図９】本発明の実施形態に係る予約リストを示した図。
【図１０】本発明の実施形態に係る機能設定画面を示した図。
【図１１】本発明の実施形態に係る再生処理を示したフロー図。
【図１２】本発明の実施形態に係る録音処理を示したフロー図。
【図１３】本発明の実施形態に係る録音音声情報を示した図。
【図１４】本発明の実施形態に係る個人設定情報の一部を示した図。
【図１５】本発明の実施形態に係る録音リストを示した図。
【図１６】本発明の実施形態に係る録音音声選択画面を示した図。
【図１７】本発明の実施形態に係るユーザ別録音音声選択画面を示した図。
【図１８】本発明の実施形態に係る予約リストを示した図。
【図１９】本発明の実施形態に係る録音音声再生画面を示した図。
【図２０】本発明の他の実施形態に係る録音音声選択画面を示した図。
【図２１】本発明の実施形態に係る機能設定画面を示した図。
【符号の説明】
【００７９】
５０…通信網、６０…ルータ、７０…無線アクセスポイント、１００…ホスト装置、２００…リモコン装置、２０１…リモコン制御部、２０２…リモコン通信部、２０３…指紋読取部、２０４…リモコン記憶部、２０５…リモコン表示部、２０６…タッチ式センサ、２０７…タッチパネル、３００…コマンダ、３０１…制御部、３０２…通信部、３０３…フロントパネル表示部、３０４…表示制御部、３０５…記憶部、３０６…入力部、３０７…音源部、３０８…ミキシング部、３０９…ＡＤ変換部、４０１…アンプ、４０２…スピーカ、４０３…マイクロフォン、４０４…ディスプレイ、４０５…スタイラス、５０１…検索ワード入力欄、５０２…検索スイッチ、５０３…検索モードスイッチ、５０４…楽曲表示欄、５０５…移動スイッチ、５０６…前画面スイッチ、５０７…音程指定スイッチ欄、５０８…録音指定スイッチ欄、５０９…予約スイッチ、５１０…前画面スイッチ、５１１…機能選択スイッチ群、５１２…第１モード設定スイッチ、５１３…第２モード設定スイッチ、５１４…録音音声リスト欄Ａ、５１５…スクロールバー、５１６…並べ替えスイッチ、５１７…予約スイッチ、５１８…前画面スイッチ、５１９…録音音声リスト欄Ｂ、５２０…スクロールバー、５２１…並べ替えスイッチ、５２２…予約スイッチ、５２３…削除スイッチ、５２４…前画面スイッチ、５２５…歌詞、５２６…ユーザ関連画像、５２７、５２８…録音音声説明、５２９…録音音声表示欄、５３０…予約スイッチ、５３１…移動スイッチ、５３２…録音音声リスト欄Ｃ、５３３…スクロールバー、５３４…並べ替えスイッチ、５３５…録音音声制御スイッチ群
【図１】
2010060634.tif 000003
【図２】
2010060634.tif 000004
【図３】
2010060634.tif 000005
【図４】
2010060634.tif 000006
【図５】
2010060634.tif 000007
【図６】
2010060634.tif 000008
【図７】
2010060634.tif 000009
【図８】
2010060634.tif 000010
【図９】
2010060634.tif 000011
【図１０】
2010060634.tif 000012
【図１１】
2010060634.tif 000013
【図１２】
2010060634.tif 000014
【図１３】
2010060634.tif 000015
【図１４】
2010060634.tif 000016
【図１５】
2010060634.tif 000017
【図１６】
2010060634.tif 000018
【図１７】
2010060634.tif 000019
【図１８】
2010060634.tif 000020
【図１９】
2010060634.tif 000021
【図２０】
2010060634.tif 000022
【図２１】
2010060634.tif 000023